(57)【特許請求の範囲】
【請求項１】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得部と、
所定量の生産物の生産開始時間から次の所定量の生産物の生産開始時間までの期間である所定量生産期間の前記物理量を積算した値である原単位を算出する原単位算出部と、
前記原単位を基準値内および基準値外に分類する分類部と、
前記所定量の生産物に対応付け可能に前記原単位を示すと共に、所定期間毎に前記原単位の合計値を時系列で示すグラフを表示部に表示する表示制御部と、を備え、
前記分類部は、前記基準値外に分類した原単位を、さらに、前記生産ラインの生産活動において必然的に消費される前記物理量を含むことを示す第１基準外、または、前記生産ラインの生産活動において不要な前記物理量の消費を含むことを示す第２基準外に分類することを特徴とする管理装置。
【請求項２】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得部と、
所定量の生産物の生産開始時間から次の所定量の生産物の生産開始時間までの期間である所定量生産期間の前記物理量を積算した値である原単位を算出する原単位算出部と、
生産計画時間内に計測されかつ基準値内である前記原単位を基準値内に、生産計画時間内に計測されかつ基準値外である前記原単位を基準値外に、生産計画時間外に計測された前記原単位を生産計画時間外に分類する分類部と、
前記所定量の生産物に対応付け可能に前記原単位を示すと共に、所定期間毎に前記原単位の合計値を時系列で示すグラフを表示部に表示する表示制御部と、を備え、
前記分類部は、前記基準値外に分類した原単位を、さらに、前記生産ラインの生産活動において必然的に消費される前記物理量を含むことを示す第１基準外、または、前記生産ラインの生産活動において不要な前記物理量の消費を含むことを示す第２基準外に分類することを特徴とする管理装置。
【請求項３】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得部と、
所定量の生産物の生産開始時間から次の所定量の生産物の生産開始時間までの期間である所定量生産期間の前記物理量を積算した値である原単位を算出する原単位算出部と、
基準値内に分類された原単位の平均値、基準値外に分類された原単位の平均値、基準値内に分類された原単位の前記所定量生産期間の平均値、基準値外に分類された原単位の前記所定量生産期間の平均値、生産計画時間および基準値外に分類される原単位の目標出現率に基づいて、所定期間における、生産計画時間内に消費される前記物理量の目標値を算出する目標値算出部と、
前記所定量の生産物に対応付け可能に前記原単位を示すと共に、前記所定期間毎に前記原単位の合計値を時系列で示すグラフを表示部に表示する表示制御部と、を備え、
前記表示制御部は、前記所定期間に消費される前記物理量の目標値を前記グラフに重畳して表示することを特徴とする管理装置。
【請求項４】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得部と、
所定量の生産物の生産開始時間から次の所定量の生産物の生産開始時間までの期間である所定量生産期間の前記物理量を積算した値である原単位を算出する原単位算出部と、
生産計画時間外に分類された原単位の平均値および生産計画時間に基づいて、所定期間における、前記生産計画時間外に消費される前記物理量の目標値を算出する目標値算出部と、
前記所定量の生産物に対応付け可能に前記原単位を示すと共に、前記所定期間毎に前記原単位の合計値を時系列で示すグラフを表示部に表示する表示制御部と、を備え、
前記表示制御部は、前記所定期間に消費される前記物理量の目標値を前記グラフに重畳して表示することを特徴とする管理装置。
【請求項５】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得部と、
所定量の生産物の生産開始時間から次の所定量の生産物の生産開始時間までの期間である所定量生産期間の前記物理量を積算した値である原単位を算出する原単位算出部と、
前記所定量の生産物に対応付け可能に前記原単位を示すと共に、所定期間毎に前記原単位の合計値を時系列で示すグラフを表示部に表示する表示制御部と、を備え、
前記表示制御部は、前記所定期間に消費される前記物理量の目標値であって、或る時点以前の前記物理量の実績値に基づく第１目標値と、当該或る時点から現在までの前記物理量の実績値に基づく第２目標値と、を前記グラフに重畳して表示することを特徴とする管理装置。
【請求項６】
前記グラフは、前記所定期間毎に、前記所定量の生産物毎の前記原単位に応じた大きさの図形を積み上げた積み上げグラフであることを特徴とする請求項１から５までの何れか１項に記載の管理装置。
【請求項７】
前記グラフにおいて、前記図形は、当該図形の示す物理量が計測された時間の順に積み上げられていることを特徴とする請求項６に記載の管理装置。
【請求項８】
前記表示制御部は、前記原単位の種類を識別可能に表示することを特徴とする請求項１〜７の何れか１項に記載の管理装置。
【請求項９】
所定量の生産物の生産開始時間から次の所定量の生産物の生産開始時間までの期間である所定量生産期間の物理量を積算した値である原単位を示す原単位データを取得するデータ取得部と、
前記所定量の生産物に対応付け可能に前記原単位を示すと共に、所定期間毎に前記原単位の合計値を時系列で示すグラフを表示部に表示する表示制御部と、を備え、
前記原単位は、基準値内および基準値外に分類され、
前記基準値外に分類した原単位を、さらに、生産ラインの生産活動において必然的に消費される前記物理量を含むことを示す第１基準外、または、前記生産ラインの生産活動において不要な前記物理量の消費を含むことを示す第２基準外に分類されたものであり、
前記表示制御部は、前記原単位の種類を識別可能に表示することを特徴とする表示装置。
【請求項１０】
所定量の生産物の生産開始時間から次の所定量の生産物の生産開始時間までの期間である所定量生産期間の物理量を積算した値である原単位を示す原単位データを取得するデータ取得部と、
前記所定量の生産物に対応付け可能に前記原単位を示すと共に、所定期間毎に前記原単位の合計値を時系列で示すグラフを表示部に表示する表示制御部と、を備え、
前記原単位は、生産計画時間内に計測されかつ基準値内である前記原単位を基準値内に、生産計画時間内に計測されかつ基準値外である前記原単位を基準値外に、生産計画時間外に計測された前記原単位を生産計画時間外に分類され、
前記基準値外に分類した原単位を、さらに、生産ラインの生産活動において必然的に消費される前記物理量を含むことを示す第１基準外、または、前記生産ラインの生産活動において不要な前記物理量の消費を含むことを示す第２基準外に分類されたものであり、
前記表示制御部は、前記原単位の種類を識別可能に表示することを特徴とする表示装置。
【請求項１１】
所定量の生産物の生産開始時間から次の所定量の生産物の生産開始時間までの期間である所定量生産期間の物理量を積算した値である原単位を示す原単位データを取得するデータ取得部と、
前記所定量の生産物に対応付け可能に前記原単位を示すと共に、所定期間毎に前記原単位の合計値を時系列で示すグラフを表示部に表示する表示制御部と、を備え、
前記表示制御部は、前記所定期間に消費される前記物理量の目標値であって、基準値内に分類された原単位の平均値、基準値外に分類された原単位の平均値、基準値内に分類された原単位の前記所定量生産期間の平均値、基準値外に分類された原単位の前記所定量生産期間の平均値、生産計画時間および基準値外に分類される原単位の目標出現率に基づいて、前記所定期間における、生産計画時間内に消費される前記物理量の目標値を前記グラフに重畳して表示することを特徴とする表示装置。
【請求項１２】
所定量の生産物の生産開始時間から次の所定量の生産物の生産開始時間までの期間である所定量生産期間の物理量を積算した値である原単位を示す原単位データを取得するデータ取得部と、
前記所定量の生産物に対応付け可能に前記原単位を示すと共に、所定期間毎に前記原単位の合計値を時系列で示すグラフを表示部に表示する表示制御部と、を備え、
前記表示制御部は、前記所定期間に消費される前記物理量の目標値であって、生産計画時間外に分類された原単位の平均値および生産計画時間に基づいて、前記所定期間における、前記生産計画時間外に消費される前記物理量の目標値を前記グラフに重畳して表示することを特徴とする表示装置。
【請求項１３】
所定量の生産物の生産開始時間から次の所定量の生産物の生産開始時間までの期間である所定量生産期間の物理量を積算した値である原単位を示す原単位データを取得するデータ取得部と、
前記所定量の生産物に対応付け可能に前記原単位を示すと共に、所定期間毎に前記原単位の合計値を時系列で示すグラフを表示部に表示する表示制御部と、を備え、
前記表示制御部は、前記所定期間に消費される前記物理量の目標値であって、或る時点以前の前記物理量の実績値に基づく第１目標値と、当該或る時点から現在までの前記物理量の実績値に基づく第２目標値と、を前記グラフに重畳して表示することを特徴とする表示装置。
【請求項１４】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得ステップと、
所定量の生産物の生産開始時間から次の所定量の生産物の生産開始時間までの期間である所定量生産期間の前記物理量を積算した値である原単位を算出する原単位算出ステップと、
前記原単位を基準値内および基準値外に分類する分類ステップと、
前記所定量の生産物に対応付け可能に前記原単位を示すと共に、所定期間毎に前記原単位の合計値を時系列で示すグラフを表示部に表示する表示ステップと、を含み、
前記分類ステップにおいて、前記基準値外に分類した原単位を、さらに、前記生産ラインの生産活動において必然的に消費される前記物理量を含むことを示す第１基準外、または、前記生産ラインの生産活動において不要な前記物理量の消費を含むことを示す第２基準外に分類することを特徴とする管理装置の制御方法。
【請求項１５】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得ステップと、
所定量の生産物の生産開始時間から次の所定量の生産物の生産開始時間までの期間である所定量生産期間の前記物理量を積算した値である原単位を算出する原単位算出ステップと、
生産計画時間内に計測されかつ基準値内である前記原単位を基準値内に、生産計画時間内に計測されかつ基準値外である前記原単位を基準値外に、生産計画時間外に計測された前記原単位を生産計画時間外に分類する分類ステップと、
前記所定量の生産物に対応付け可能に前記原単位を示すと共に、所定期間毎に前記原単位の合計値を時系列で示すグラフを表示部に表示する表示ステップと、を含み、
前記分類ステップにおいて、前記基準値外に分類した原単位を、さらに、前記生産ラインの生産活動において必然的に消費される前記物理量を含むことを示す第１基準外、または、前記生産ラインの生産活動において不要な前記物理量の消費を含むことを示す第２基準外に分類することを特徴とする管理装置の制御方法。
【請求項１６】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得ステップと、
所定量の生産物の生産開始時間から次の所定量の生産物の生産開始時間までの期間である所定量生産期間の前記物理量を積算した値である原単位を算出する原単位算出ステップと、
基準値内に分類された原単位の平均値、基準値外に分類された原単位の平均値、基準値内に分類された原単位の前記所定量生産期間の平均値、基準値外に分類された原単位の前記所定量生産期間の平均値、生産計画時間および基準値外に分類される原単位の目標出現率に基づいて、所定期間における、生産計画時間内に消費される前記物理量の目標値を算出する目標値算出ステップと、
前記所定量の生産物に対応付け可能に前記原単位を示すと共に、前記所定期間毎に前記原単位の合計値を時系列で示すグラフを表示部に表示する表示ステップと、を含み、
前記表示ステップにおいて、前記所定期間に消費される前記物理量の目標値を前記グラフに重畳して表示することを特徴とする管理装置の制御方法。
【請求項１７】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得ステップと、
所定量の生産物の生産開始時間から次の所定量の生産物の生産開始時間までの期間である所定量生産期間の前記物理量を積算した値である原単位を算出する原単位算出ステップと、
生産計画時間外に分類された原単位の平均値および生産計画時間に基づいて、所定期間における、前記生産計画時間外に消費される前記物理量の目標値を算出する目標値算出ステップと、
前記所定量の生産物に対応付け可能に前記原単位を示すと共に、前記所定期間毎に前記原単位の合計値を時系列で示すグラフを表示部に表示する表示ステップと、を含み、
前記表示ステップにおいて、前記所定期間に消費される前記物理量の目標値を前記グラフに重畳して表示することを特徴とする管理装置の制御方法。
【請求項１８】
所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得ステップと、
所定量の生産物の生産開始時間から次の所定量の生産物の生産開始時間までの期間である所定量生産期間の前記物理量を積算した値である原単位を算出する原単位算出ステップと、
前記所定量の生産物に対応付け可能に前記原単位を示すと共に、所定期間毎に前記原単位の合計値を時系列で示すグラフを表示部に表示する表示ステップと、を備え、
前記表示ステップにおいて、前記所定期間に消費される前記物理量の目標値であって、或る時点以前の前記物理量の実績値に基づく第１目標値と、当該或る時点から現在までの前記物理量の実績値に基づく第２目標値と、を前記グラフに重畳して表示することを特徴とする管理装置の制御方法。
【請求項１９】
請求項１または２に記載の管理装置としてコンピュータを機能させるための制御プログラムであって、前記データ取得部、前記原単位算出部、前記分類部及び前記表示制御部としてコンピュータを機能させるための制御プログラム。
【請求項２０】
請求項３または４に記載の管理装置としてコンピュータを機能させるための制御プログラムであって、前記データ取得部、前記原単位算出部、前記目標値算出部および前記表示制御部としてコンピュータを機能させるための制御プログラム。
【請求項２１】
請求項５に記載の管理装置としてコンピュータを機能させるための制御プログラムであって、前記データ取得部、前記原単位算出部および前記表示制御部としてコンピュータを機能させるための制御プログラム。
【請求項２２】
請求項１９から２１までの何れか１項に記載の制御プログラムを記録したコンピュータ読み取り可能な記録媒体。
【発明の詳細な説明】
【技術分野】
【０００１】
本発明は、生産設備が生産活動において消費する物質量またはエネルギー量を示す物理量を管理するための管理装置、表示装置、管理装置の制御方法、制御プログラムおよび記録媒体に関する。
【背景技術】
【０００２】
近年、地球温暖化防止、コスト削減、改正省エネ法の要請等の観点から、オフィス、工場等に設置されている各種設備（照明設備、空調設備、生産設備等）の省エネルギー化が進められている。特に、生産設備のエネルギー消費の割合は極めて大きいため、生産設備の省エネルギー化が求められている。
【０００３】
例えば、特許文献１に、エネルギー省力化用の制御対象となる生産装置を特定することが可能なエネルギー省力化システムが記載されている。特許文献１に記載のシステムは、１日毎の生産数および使用エネルギー量、並びに、原単位の平均値等を表示する。
【０００４】
また、特許文献２に、省エネルギー対象に対する適切な省エネルギー化対策に資する情報を提供し、活用することができる省エネルギー対策支援システムが記載されている。特許文献２に記載のシステムは、生産数と原単位との関係を示すグラフを表示する。
【先行技術文献】
【特許文献】
【０００５】
【特許文献１】特開２００４−２０６２１６号公報（２００４年７月２２日公開）
【特許文献２】特開２００４−１７１４４３号公報（２００４年６月１７日公開）
【発明の概要】
【発明が解決しようとする課題】
【０００６】
しかしながら、上述のような従来技術は、消費エネルギーと、生産効率（生産性）とを別々に管理しており、両者の関係性の把握が難しい。そのため、生産効率および消費エネルギーの両方の最適化を行うことが困難であるという問題がある。
【０００７】
具体的には、特許文献１に記載のシステムは、単に生産数、使用エネルギー量および原単位の平均値等を表示しているだけである。また、特許文献２に記載のシステムが表示するグラフには、時間情報が含まれていない。そのため、これらのシステムが表示する情報を参照しても、いつ、どのような改善を行うべきかがわからない。
【０００８】
本発明は、前記の問題点に鑑みてなされたものであり、その目的は、生産設備が生産活動において消費する物質量またはエネルギー量を示す物理量および生産効率を同時に簡単に確認できる管理装置、表示装置、管理装置の制御方法、制御プログラムおよび記録媒体を実現することにある。
【課題を解決するための手段】
【０００９】
前記の課題を解決するために、本発明に係る管理装置は、所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得部と、所定量の生産物の生産開始時間から次の所定量の生産物の生産開始時間までの期間である所定量生産期間の前記物理量を積算した値である原単位を算出する原単位算出部と、前記所定量の生産物に対応付け可能に前記原単位を示すと共に、所定期間毎に前記原単位の合計値を時系列で示すグラフを表示部に表示する表示制御部と、を備えることを特徴としている。
【００１０】
前記の構成によれば、前記グラフでは、前記所定量の生産物に対応付け可能に前記原単位が示されると共に、所定期間毎に前記原単位の合計値が時系列で示されているため、生産効率、および、前記生産ラインにおいて前記所定期間に消費された前記物理量の合計値を同時に簡単に確認することができる。そのため、生産効率と消費される物理量とのバランスを容易に考察することができるという効果を奏する。
【００１１】
また、本発明に係る管理装置において、前記グラフは、所定期間毎に、前記所定量の生産物毎の前記原単位に応じた大きさの図形を積み上げた積み上げグラフであってもよい。
【００１２】
前記の構成によれば、前記積み上げグラフにおいて、前記図形の大きさが前記所定量の生産物毎の前記原単位の値を示し、図形を積み上げた全体の大きさが前記所定期間の前記原単位の合計値を示す。そのため、生産効率および消費された物理量を同時に簡単に確認することができる。
【００１３】
また、本発明に係る管理装置では、前記グラフにおいて、前記図形は、当該図形の示す物理量が計測された時間の順に積み上げられていてもよい。
【００１４】
前記の構成によれば、生産効率が良い時間帯または悪い時間帯を容易に把握することができる。
【００１５】
また、本発明に係る管理装置は、前記原単位を基準値内および基準値外に分類する分類部をさらに備え、前記表示制御部は、前記原単位の種類を識別可能に表示してもよい。
【００１６】
前記の構成によれば、グラフに示されている前記原単位が、前記基準値内の原単位であるか、前記基準値外の原単位であるかを簡単に判別することができる。
【００１７】
また、本発明に係る管理装置は、生産計画時間内に計測されかつ基準値内である前記原単位を基準値内に、生産計画時間内に計測されかつ基準値外である前記原単位を基準値外に、生産計画時間外に計測された前記原単位を生産計画時間外に分類する分類部をさらに備え、前記表示制御部は、前記原単位の種類を識別可能に表示してもよい。
【００１８】
前記の構成によれば、グラフに示されている前記原単位が、前記基準値内の原単位であるか、前記基準値外の原単位であるか、前記生産計画時間外の原単位であるかを簡単に判別することができる。
【００１９】
また、本発明に係る管理装置において、前記分類部は、前記基準値外に分類した原単位を、さらに、前記生産ラインの生産活動において必然的に消費される前記物理量を含むことを示す第１基準外、または、前記生産ラインの生産活動において不要な前記物理量の消費を含むことを示す第２基準外に分類してもよい。
【００２０】
前記の構成によれば、前記表示制御部は前記原単位の種類を識別可能に表示するため、グラフに示されている前記原単位が、前記基準値内の原単位であるか、前記第１基準値外の原単位であるか、前記第２基準値外の原単位であるか、前記生産計画時間外の原単位であるかを簡単に判別することができる。
【００２１】
また、本発明に係る管理装置において、前記表示制御部は、前記所定期間に消費される前記物理量の目標値を前記グラフに重畳して表示してもよい。
【００２２】
前記の構成によれば、前記所定期間に消費された前記物理量の目標値に対する達成の程度を容易に把握することができる。
【００２３】
また、本発明に係る管理装置は、基準値内に分類された原単位の平均値、基準値外に分類された原単位の平均値、基準値内に分類された原単位の前記所定量生産期間の平均値、基準値外に分類された原単位の前記所定量生産期間の平均値、生産計画時間および基準値外に分類される原単位の目標出現率に基づいて、前記所定期間における、前記生産計画時間内に消費される前記物理量の目標値を算出する目標値算出部と、をさらに備えてもよい。
【００２４】
また、本発明に係る管理装置は、生産計画時間外に分類された原単位の平均値および生産計画時間に基づいて、前記所定期間における、前記生産計画時間外に消費される前記物理量の目標値を算出する目標値算出部と、をさらに備えてもよい。
【００２５】
また、本発明に係る管理装置において、前記表示制御部は、或る時点以前の前記物理量の実績値に基づく第１目標値と、当該或る時点から現在までの前記物理量の実績値に基づく第２目標値と、を前記グラフに重畳して表示してもよい。
【００２６】
前記の構成によれば、前記表示制御部は、前記或る時点から現在までの直近の生産ライン３の生産状況を反映させた前記第２目標値を表示することができる。
【００２７】
また、前記の課題を解決するために、本発明に係る表示装置は、所定量の生産物の生産開始時間から次の所定量の生産物の生産開始時間までの期間である所定量生産期間の前記物理量を積算した値である原単位を示す原単位データを取得するデータ取得部と、前記所定量の生産物に対応付け可能に前記原単位を示すと共に、所定期間毎に前記原単位の合計値を時系列で示すグラフを表示部に表示する表示制御部と、を備えることを特徴としている。
【００２８】
前記の構成によれば、前記グラフでは、前記所定量の生産物に対応付け可能に前記原単位が示されると共に、所定期間毎に前記原単位の合計値が時系列で示されているため、生産効率、および、前記生産ラインにおいて前記所定期間に消費された前記物理量の合計値を同時に簡単に確認することができる。そのため、生産効率と消費される物理量とのバランスを容易に考察することができるという効果を奏する。
【００２９】
また、前記の課題を解決するために、本発明に係る管理装置の制御方法は、所定量の生産物の生産に要する時間間隔よりも短い時間間隔で計測される生産ラインが生産活動において消費する物質量またはエネルギー量である物理量を示す物理量データ、並びに、前記生産ラインによる所定量の生産物の生産開始時間および次の所定量の生産物の生産開始時間を示す生産時間データを取得するデータ取得ステップと、所定量の生産物の生産開始時間から次の所定量の生産物の生産開始時間までの期間である所定量生産期間の前記物理量を積算した値である原単位を算出する原単位算出ステップと、前記所定量の生産物に対応付け可能に前記原単位を示すと共に、所定期間毎に前記原単位の合計値を時系列で示すグラフを表示部に表示する表示ステップと、を含むことを特徴としている。
【００３０】
前記の構成によれば、前記管理装置と同様の効果を奏する。
【００３１】
本発明の各態様に係る管理装置は、コンピュータによって実現してもよく、この場合には、コンピュータを前記管理装置が備える各部として動作させることにより前記管理装置をコンピュータにて実現させる管理装置の制御プログラム、およびそれを記録したコンピュータ読み取り可能な記録媒体も、本発明の範疇に入る。
【発明の効果】
【００３２】
本発明は、生産ラインで消費される物理量および生産効率を同時に確認することができ、両者のバランスを容易に考察することができるという効果を奏する。
【図面の簡単な説明】
【００３３】
【図１】本発明の実施形態１に係る管理装置の要部構成の一例を示すブロック図である。
【図２】実施形態１に係る管理システムの概要の一例を示す図である。
【図３】前記管理装置のデータ取得部が生成する消費エネルギー時系列データの一例を示す図である。
【図４】前記データ取得部が生成する生産日時データの一例を示す図である。
【図５】前記管理装置の原単位算出部が生成するエネルギー原単位時系列データの一例を示す図である。
【図６】前記管理装置の分類部が生成するエネルギー原単位分類時系列データの一例を示す図である。
【図７】前記管理装置の表示部に表示される積み上げ棒グラフの一例を示す図である。
【図８】生産計画時間を示す生産計画時間データの一例を示す図である。
【図９】前記管理装置が実行する処理の流れの一例を示すフローチャートである。
【図１０】前記原単位算出部が実行するエネルギー原単位算出処理の流れの一例を示すフローチャートである。
【図１１】前記分類部が実行するエネルギー原単位分類処理の流れの一例を示すフローチャートである。
【図１２】本発明の実施形態２に係る管理装置の要部構成の一例を示すブロック図である。
【図１３】計画生産数を示す計画生産数データの一例を示す図である。
【図１４】前記管理装置の学習値算出部が学習値の算出に用いる式の一例を示す図である。
【図１５】前記管理装置の表示部に表示される積み上げ棒グラフの一例を示す図である。
【図１６】前記管理装置が実行する処理の流れの一例を示すフローチャートである。
【図１７】前記管理装置の目標値算出部が実行する待機中目標値算出処理の流れの一例を示すフローチャートである。
【図１８】前記待機中目標値算出処理を説明するために用いる記号の説明を示す図である。
【図１９】前記管理装置の目標値算出部が実行する生産中目標値算出処理の流れの一例を示すフローチャートである。
【図２０】前記生産中目標値算出処理を説明するために用いる記号の説明を示す図である。
【図２１】本発明の実施形態３に係る管理装置の要部構成の一例を示すブロック図である。
【図２２】前記管理装置の表示部に表示される積み上げ棒グラフの一例を示す図である。
【図２３】前記管理装置の表示部に表示される積み上げ棒グラフの他の一例を示す図である。
【図２４】前記管理装置の目標値算出部が実行する修正目標値算出処理の流れの一例を示すフローチャートである。
【図２５】前記修正目標値算出処理を説明するために用いる記号の説明を示す図である。
【発明を実施するための形態】
【００３４】
＜実施形態１＞
本発明の一実施形態（実施形態１）について図１から図１１に基づいて説明すると以下の通りである。
【００３５】
〔管理システムの構成〕
図２に基づいて、本実施形態に係る管理システムについて説明する。図２は、本実施形態に係る管理システム９の概要の一例を示す図である。
【００３６】
管理システム９は、工場４等に設置された１または複数の生産設備２を含む生産ライン３の消費エネルギーを管理するシステムである。図２に示すように、管理システム９は、管理装置１、エネルギー計測センサ５および物体通過検知センサ（物体検知センサ）６を含む。
【００３７】
管理装置１は、工場４等に設置された１または複数の生産設備２を含む生産ライン３の消費エネルギーを管理する。本実施形態では、管理装置１は、１日単位で生産ライン３の消費エネルギーを管理する。ただし、これに限るものではなく、管理装置１は、３０分単位、１時間単位、１週間単位等、任意の期間単位で生産ライン３の消費エネルギーを管理してよい。管理装置１の機能および処理の詳細については後述する。
【００３８】
ここで、生産ライン３とは、製品の生産工程を機能的に分割し、その分割された一工程を実行するものである。また、生産ライン３は、生産設備２を１または複数含む機能的な集合である。つまり、製品の生産工程は、１または複数の生産ライン３から成る。なお、製品の生産工程の分割単位は任意でよい。
【００３９】
また、生産設備２は、電気、ガス、熱等の任意のエネルギーを消費して動作するものであって、製品の生産活動に直接関係する設備である。生産設備２は、例えば、機械・装置類、治工具類、運搬・貯蔵施設等であり、１または複数のエネルギー消費機器から成るものである。本実施形態では、生産設備２は、電気エネルギーで動作するものとする。
【００４０】
なお、生産ライン３（生産設備２）が複数種類のエネルギー源で動作する場合、管理装置１は、国または機関等で定められた換算係数を用いて、各種エネルギー量を原油量またはＣＯ２量等の同単位に換算し、その換算後の合計値を生産ライン３の消費エネルギー量として管理してもよい。これにより、管理装置１は、生産ライン３（生産設備２）が消費する各種エネルギーを一元管理することができる。
【００４１】
また、生産、加工、運搬等の生産ライン３が実行する一工程により供給される物を生産物と称する。生産物とは、完成品である製品、製品の一部を構成する部品、および、製品または部品を生産するために使用する物等を含むものである。また、生産ライン３が供給した生産物の個数を生産数と称する。また、生産ライン３が実行する一工程にかかる（実際の）時間を工程時間と称する。工程時間は、例えば、数秒〜数時間などであり、生産ライン３によって様々である。
【００４２】
エネルギー計測センサ５は、生産設備２の消費エネルギーを生産ライン３単位で計測するものである。具体的に、エネルギー計測センサ５は、生産ライン３に含まれる１または複数の生産設備２の合計の消費エネルギーを所定期間毎に計測する。エネルギー計測センサ５は、計測した生産ライン３全体の所定期間の消費エネルギー量と、計測した日時とが対応付けられた消費エネルギーデータを管理装置１に出力する。本実施形態では、エネルギー計測センサ５は、１秒毎に生産ライン３（生産設備２Ａ〜２Ｄの合計）の消費電力を計測する。なお、エネルギー計測センサ５の測定間隔は１秒に限らず任意の期間でよい。また、エネルギー計測センサ５は、例えば、生産ライン３の生産設備２Ａ〜２Ｄに電力を供給する分電盤等に設置される。なお、エネルギー計測センサ５は、所定量（本実施形態では「１つ」）の生産物の生産に要する時間間隔よりも短い時間間隔で消費エネルギーを計測する。
【００４３】
物体通過検知センサ６は、生産ライン３に含まれる何れかの生産設備２が供給する生産物または中間生産物を検知するものである。物体通過検知センサ６は、生産物または中間生産物を検知すると、生産物または中間生産物を検知した日時を示す生産トリガ（生産信号、検知信号）を管理装置１に出力する。物体通過検知センサ６は、生産ライン３上の任意の位置に設置されていればよい。本実施形態では、物体通過検知センサ６は、生産設備２Ｄの下流に設置され、生産設備２Ｄが供給する生産物を検知するが、これに限るものではない。例えば、物体通過検知センサ６は、生産設備２Ａ、２Ｂまたは２Ｃの下流に設置され、生産設備２Ａ、２Ｂまたは２Ｃが供給する中間生産物を検知してもよい。また、本実施形態では、物体通過検知センサ６は、１つの生産物または中間生産物を検知する毎に１つの生産トリガを出力するが、これに限るものではなく、所定量の生産物または中間生産物を検知する毎に１つの生産トリガを出力してもよい。
【００４４】
図２に示す例では、工場４に１つの生産ライン３のみが設置されているが、これに限るものではなく、工場４に複数の生産ライン３が設置されていてもよい。この場合、管理装置１は、複数の生産ライン３の消費エネルギーを管理する。また、図２に示す例では、管理装置１は、１つの工場４に設置されている生産ライン３の消費エネルギーを管理しているが、これに限るものではなく、複数の工場４にそれぞれ設置されている生産ライン３の消費エネルギーを管理してもよい。また、図２に示す例では、管理装置１は、生産設備２が設置されている工場４内に設置されているが、これに限るものではなく、工場４と異なる建屋（事務所等）に設置されていてもよい。
【００４５】
〔管理装置の構成〕
図１に基づいて、本実施形態に係る管理装置１について説明する。図１は、本実施形態に係る管理装置１の要部構成の一例を示すブロック図である。図１に示すように、管理装置１は、制御部１１、記憶部１２、通信部１３、表示部１４および入力部１５を備える。
【００４６】
通信部１３は、無線通信手段または有線通信手段によって、エネルギー計測センサ５および物体通過検知センサ６等の他の装置と通信を行い、制御部１１の指示に従って、データのやりとりを行うものである。
【００４７】
表示部１４は、制御部１１の指示に従って画像を表示するものである。表示部１４は、制御部１１の指示に従って画像を表示するものであればよく、例えば、ＬＣＤ（液晶ディスプレイ）、有機ＥＬディスプレイ、プラズマディスプレイなどを適用することが可能である。なお、図１に示す例では、管理装置１が表示部１４を備えているが、これに限らず、管理装置１が、管理装置１とは別体の表示装置に画像を表示してもよい。
【００４８】
入力部１５は、ユーザが管理装置１を操作するためのものである。入力部１５は、ユーザの操作に応じた操作信号を生成し、生成した操作信号を制御部１１に出力する。入力部１５は、キーボード、マウス、キーパッド、操作ボタンなどの入力機器等で構成されているものであってもよい。また、入力部１５は、表示部１４と一体となっているタッチパネルであってもよい。また、入力部１５は、管理装置１と別体のリモートコントローラ等の遠隔制御装置であってもよい。
【００４９】
（制御部）
制御部１１は、記憶部１２から一時記憶部（不図示）に読み出されたプログラムを実行することにより、各種の演算を行うと共に、管理装置１が備える各部を統括的に制御するものである。
【００５０】
本実施形態では、制御部１１は、機能ブロックとして、データ取得部２１、原単位算出部２２、分類部２３、表示制御部（出力部）２６および入力解析部２７を備える構成である。これらの制御部１１の各機能ブロックは、ＣＰＵ（central processing unit）が、ＲＯＭ（read only memory）等で実現された記憶装置に記憶されているプログラムをＲＡＭ（random access memory）等で実現された一時記憶部に読み出して実行することで実現できる。
【００５１】
（データ取得部）
データ取得部２１は、通信部１３を介して、エネルギー計測センサ５から消費エネルギーデータを取得し、物体通過検知センサ６から生産トリガを取得する。データ取得部２１は、取得した消費エネルギーデータを時系列に並べた消費エネルギー時系列データを生成する。また、データ取得部２１は、取得した生産トリガの示す日時を時系列に並べた生産日時データを生成する。データ取得部２１は、生成した消費エネルギー時系列データおよび生産日時データを原単位算出部２２に出力する。なお、データ取得部２１が取得する消費エネルギーデータおよび生産トリガを計測データと称する。
【００５２】
なお、管理装置１が複数の生産ライン３を管理する場合、データ取得部２１は、生産ライン３毎に消費エネルギーデータおよび生産トリガを取得し、生産ライン３毎の消費エネルギー時系列データおよび生産日時データを生成する。
【００５３】
図３に本実施形態に係るデータ取得部２１が生成する消費エネルギー時系列データの一例を示す。図３に示すように、消費エネルギー時系列データは、エネルギー計測センサ５が計測した日時と、１秒間の生産ライン３の消費エネルギー量とが対応付けられたデータである。
【００５４】
図４に本実施形態に係るデータ取得部２１が生成する生産日時データの一例を示す。図４に示すように、生産日時データは、物体通過検知センサ６が生産物または中間生産物を検知した日時が時系列に並べられたデータである。図４に示す例では、生産日時データは、さらに、管理装置１の処理開始日時および処理終了日時も含む。本実施形態では、管理装置１は、１日単位で生産ライン３の消費エネルギーを管理するため、処理開始日時が毎日０時であり、処理終了日時は毎日２４時である。
【００５５】
後述のように、原単位算出部２２が生産トリガ間において生産ライン３が１つの生産物を生産したとみなすため、データ取得部２１が取得する生産トリガは、生産ライン３が１つの生産物を生産するためにかかった期間（みなし期間）である生産期間を示す生産信号であると言える。なお、１つの生産トリガが所定量の生産物または中間生産物を示す場合、当該生産トリガは、生産ラインが所定量の生産物を生産するためにかかった期間である所定量生産期間を示す生産信号である。換言すると、データ取得部２１が取得する生産トリガは、生産ライン３による所定量の生産物の生産開始時間および次の所定量の生産物の生産開始時間を示す生産時間データであると言える。
【００５６】
（原単位算出部）
原単位算出部２２は、データ取得部２１から消費エネルギー時系列データおよび生産日時データを受け取り、受け取った消費エネルギー時系列データおよび生産日時データに基づいて、エネルギー原単位を算出するものである。具体的には、原単位算出部２２は、生産日時データの示す各時点間において生産ライン３が１つの生産物を生産したとみなして、生産日時データの示す或る日時から次の日時までの消費エネルギーを積算して、生産ライン３が１つの生産物を生産するために消費したエネルギーであるエネルギー原単位を算出する。原単位算出部２２は、生産日時データの示す日時を生産開始日時とみなして、算出したエネルギー原単位に生産日時データの示す日時を対応付けたエネルギー原単位データを時系列に並べたエネルギー原単位時系列データを生成する。原単位算出部２２は、生成したエネルギー原単位時系列データを分類部２３に出力する。なお、以下では、エネルギー原単位データの示す日時を原単位開始日時と称する。すなわち、原単位開始日時は、当該エネルギー原単位の示す消費エネルギーの計測が開始された日時である。また、生産日時データにおいて、原単位開始日時の次の日時が原単位終了日時である。原単位終了日時は、当該エネルギー原単位の示す消費エネルギーの計測が終了した日時である。
【００５７】
図５に本実施形態に係る原単位算出部２２が生成するエネルギー原単位時系列データの一例を示す。図５に示すように、エネルギー原単位時系列データは、生産日時データの示す日時に、エネルギー原単位が対応付けられたデータである。
【００５８】
なお、生産トリガが所定量の生産物を生産するためにかかった期間である所定量生産期間を示す場合、原単位算出部２２は、生産ライン３において所定量の生産物の生産で消費されたエネルギーであるエネルギー原単位を算出してよい。所定量生産期間は、生産日時データ（生産時間データ）の示す或る所定量の生産物の生産開始時間から次の所定量の生産物の生産開始時間までの期間である。
【００５９】
（分類部）
分類部２３は、原単位算出部２２からエネルギー原単位時系列データを受け取り、エネルギー原単位時系列データに含まれる各エネルギー原単位データを所定の基準で３種類（待機中（生産計画時間外）、基準内、基準外）に分類するものである。
【００６０】
具体的には、分類部２３は、生産ライン３が生産物を生産するための生産活動を行う（予定の）時間である生産計画時間を示す生産計画時間データ３１、および、エネルギー原単位の良し悪しを判定するための閾値であるエネルギー原単位基準値３２を記憶部１２から読み出す。分類部２３は、エネルギー原単位データの示す原単位開始日時が生産計画時間データ３１の示す生産計画時間内であるか否かを判定する。分類部２３は、原単位開始日時が生産計画時間内ではない場合、当該エネルギー原単位データを「待機中（生産計画時間外）」に分類する。一方、分類部２３は、原単位開始日時が生産計画時間内である場合、さらに、エネルギー原単位データの示すエネルギー原単位がエネルギー原単位基準値３２以下であるか否かを判定する。分類部２３は、原単位開始日時が生産計画時間内であり、かつ、エネルギー原単位がエネルギー原単位基準値３２以下である場合、当該エネルギー原単位データを「基準内」に分類する。また、分類部２３は、原単位開始日時が生産計画時間内であり、かつ、エネルギー原単位がエネルギー原単位基準値３２より大きい場合、当該エネルギー原単位データを「基準外」に分類する。
【００６１】
さらに、分類部２３は、「基準外」に分類したエネルギー原単位データを、生産ライン３の生産活動において必然的に消費されるエネルギーを含むことを示す「第１基準外」、または、生産ライン３の生産活動において不要なエネルギー消費を含むことを示す「第２基準外」に分類してもよい。具体的には、分類部２３は、「基準外」に分類したエネルギー原単位データの示すエネルギー原単位が基準外判定閾値以下であるか否かを判定し、エネルギー原単位が基準外判定閾値以下である場合、当該エネルギー原単位データを「第１基準外」に分類し、エネルギー原単位が基準外判定閾値より大きい場合、当該エネルギー原単位データを「第２基準外」に分類してもよい。また、分類部２３は、後述の要因データを参照して、エネルギー原単位データの示す生産期間（または原単位開始日時もしくは原単位終了日時）に対応する要因が「部品交換」または「段取り換え」である場合、当該エネルギー原単位データを「第１基準外」に分類し、エネルギー原単位データの示す生産期間（または原単位開始日時もしくは原単位終了日時）に対応する要因が「マシントラブル」、「人為的ミス」または「検査エラー」等のその他の要因である場合、当該エネルギー原単位データを「第２基準外」に分類してもよい。
【００６２】
ここで、基準外判定閾値とは、第１基準外であるか第２基準外であるかを判定するための閾値である。基準外判定閾値は、エネルギー原単位基準値３２より大きい値である任意の値である。また、要因データとは、生産効率悪化（エネルギー原単位の増大、生産期間の増大等）の要因を示すデータである。要因データは、要因と、当該要因が発生していた期間または時点とが対応付けられたデータである。例えば、要因データは、ユーザの入力に基づいて、入力解析部２７により生成される。
【００６３】
なお、以下では、「基準内」、「基準外」、「第１基準外」、「第２基準外」、「待機中」に分類されたエネルギー原単位を、それぞれ、基準内のエネルギー原単位、基準外のエネルギー原単位、第１基準外のエネルギー原単位、第２基準外のエネルギー原単位、待機中のエネルギー原単位と称する。換言すると、基準内のエネルギー原単位は、生産計画時間内に計測されかつ基準値内のエネルギー原単位であり、基準外のエネルギー原単位は、生産計画時間内に計測されかつ基準値外のエネルギー原単位であり、第１基準外のエネルギー原単位は、生産計画時間内に計測されかつ基準値外かつ生産ライン３の生産活動において必然的に消費されるエネルギーを含むエネルギー原単位であり、第２基準外のエネルギー原単位は、生産計画時間内に計測されかつ基準値外かつ生産ライン３の生産活動において不要なエネルギー消費を含むエネルギー原単位であり、待機中のエネルギー原単位は、生産計画時間外に計測されたエネルギー原単位である。
【００６４】
分類部２３は、分類したエネルギー原単位データの種類を示すフラグをエネルギー原単位データに付加したエネルギー原単位分類データを生成し、生成したエネルギー原単位分類データを時系列に並べたエネルギー原単位分類時系列データを生成する。分類部２３は、生成したエネルギー原単位分類時系列データを表示制御部２６に出力する。また、分類部２３は、生成したエネルギー原単位分類時系列データを記憶部１２に格納する。
【００６５】
図６に本実施形態に係る分類部２３が生成するエネルギー原単位分類時系列データの一例を示す。図６に示すように、エネルギー原単位分類時系列データは、原単位開始日時、エネルギー原単位およびフラグが対応付けられたエネルギー原単位分類データが時系列に並べられたデータである。図６に示す例では、フラグは「−１」、「１」または「２」の値をとり、「−１」が「待機中」を示し、「１」が「基準内」を示し、「２」が「基準外」を示す。
【００６６】
なお、分類部２３は、エネルギー原単位時系列データに含まれる各エネルギー原単位データを、少なくとも基準値内または基準値外に分類すればよい。この場合、分類部２３は、エネルギー原単位データの示すエネルギー原単位がエネルギー原単位基準値３２以下である場合、当該エネルギー原単位データを基準値内に分類し、エネルギー原単位がエネルギー原単位基準値３２より大きい場合、当該エネルギー原単位データを基準値外に分類する。
【００６７】
（表示制御部）
表示制御部２６は、分類部２３からエネルギー原単位分類時系列データを受け取って、エネルギー原単位分類時系列データに基づいて、所定期間毎にエネルギー原単位を積み上げた積み上げ棒グラフを生成する。表示制御部２６は、生成した積み上げ棒グラフを表示部１４に出力し、当該積み上げ棒グラフを表示部１４に表示させる。
【００６８】
図７に表示制御部２６が生成する積み上げ棒グラフの一例を示す。図７に示す積み上げ棒グラフは、横軸が経過時間であり、縦軸が電力量（消費エネルギー量）である。また、縦軸において、基準点で上下に分割されており、基準点より上側に生産中の電力量が示され、基準点より下側に待機中の電力量が示されている。すなわち、生産中の電力量は、基準点より上方にいくほど電力量が大きいことを示し、待機中の電力量は、基準点より下方にいくほど電力量が大きいことを示す。
【００６９】
図７に示す積み上げ棒グラフでは、３０分毎に、エネルギー原単位が積み上げられている。この棒グラフにおける１つの棒線の期間（図７の例では３０分）を棒線単位時間と称する。棒線単位時間は３０分に限らず、任意の時間でよい。
【００７０】
図７に示す積み上げ棒グラフにおける棒線を構成する１つの矩形（図形）が１つのエネルギー原単位を表す。図７に示す例では、エネルギー原単位の種類（基準内、第１基準外、第２基準外、待機中）が一目でわかるように、種類に応じて各エネルギー原単位の矩形が色分けされている。すなわち、表示制御部２６は、エネルギー原単位の種類を識別可能に積み上げ棒グラフを生成する。
【００７１】
また、図７に示す積み上げ棒グラフにおいて、矩形は、当該図形の示すエネルギー原単位が計測された時間（原単位開始日時）の順に積み上げられている。
【００７２】
積み上げ棒グラフにおいて、１つの棒線の高さが所定期間における生産ライン３の総消費エネルギーを示す。また、矩形の大きさ（矩形の高さ）は、その矩形が示すエネルギー原単位の大小、つまり、生産効率を示す。具体的には、矩形が大きいことは、その矩形が示すエネルギー原単位の値が大きい、つまり、生産効率（消費エネルギー効率）が悪いことを示す。そのため、本実施形態のように、エネルギー原単位を積み上げた積み上げ棒グラフを表示することにより、所定期間における生産ライン３の総消費エネルギーと、当該所定期間における生産効率とを容易に把握することができる。
【００７３】
通常、生産ライン３が生産活動を行っている期間の消費エネルギーである生産中の消費エネルギーは、生産ライン３の管理者等が管理すべきものである。一方、生産ライン３が生産活動を行っていない期間の消費エネルギーである待機中の消費エネルギーは、生産計画時間を決定する生産計画者等が管理すべきものである。そのため、本実施形態のように、基準内および基準外（第１基準外、第２基準外）のエネルギー原単位と、待機中のエネルギー原単位とをそれぞれ区別して表示することにより、誰がどの消費エネルギーについてどの程度省エネルギー化を図るべきかを容易に把握することができる。
【００７４】
また、表示制御部２６は、ユーザが生産計画時間データ３１、エネルギー原単位基準値３２等を入力するための入力画像を生成し、当該入力画像を表示部１４に表示させる。
【００７５】
本実施形態では、管理装置１が備える表示部１４に前記積み上げ棒グラフを表示しているが、これに限るものではなく、管理装置１は、管理装置１の外部の表示装置に表示してもよいし、通信部１３を介して管理装置１と異なる装置に前記積み上げ棒グラフを表示するためのデータを送信してもよい。
【００７６】
また、本実施形態では、表示制御部２６は、積み上げ棒グラフを生成しているがこれに限るものではない。例えば、中心角を経過時間（例えば、３６０度を１日）とし、半径方向の高さを消費エネルギー量とする積み上げ円グラフを生成してもよい。すなわち、表示制御部２６は、所定期間毎に、所定量の生産物毎のエネルギー原単位に応じた大きさの図形（矩形）を積み上げた積み上げグラフを生成し、表示すればよい。さらに、このような積み上げグラフに限らず、表示制御部２６は、所定量の生産物に対応付け可能にエネルギー原単位を示すと共に、所定期間毎にエネルギー原単位の合計値を時系列で示すグラフを生成し、表示すればよい。換言すると、表示制御部２６は、所定量の生産物毎の（所定量の生産物単位で）エネルギー原単位を示すと共に、所定期間毎にエネルギー原単位の合計値を時系列で示すグラフを生成し、表示すればよい。
【００７７】
（入力解析部）
入力解析部２７は、入力部１５から操作信号を受け取り、受け取った操作信号を解析し、ユーザの操作に応じた処理を実行するものである。例えば、入力解析部２７は、ユーザが入力した生産計画時間、エネルギー原単位基準値に基づいて、生産計画時間データ３１、エネルギー原単位基準値３２を生成し、生成したデータを記憶部１２に格納する。
【００７８】
（記憶部）
記憶部１２は、制御部１１が参照するプログラムやデータ等を格納するものであり、例えば、前記の生産計画時間データ３１、エネルギー原単位基準値３２およびエネルギー原単位分類時系列データ３３等を格納している。
【００７９】
図８に生産計画時間データ３１の一例を示す。図８に示す生産計画時間データ３１は、生産開始日時（図８に示す「勤務開始」）および生産終了日時（図８に示す「勤務終了」）を含み、生産開始日時から生産終了日時までの期間が生産計画時間である。
【００８０】
〔管理装置の処理〕
図９に基づいて、管理装置１の処理の流れについて説明する。図９は、管理装置１が実行する処理の流れの一例を示すフローチャートである。
【００８１】
図９に示すように、まず、データ取得部２１は、通信部１３を介して、エネルギー計測センサ５から消費エネルギーデータを取得し、物体通過検知センサ６から生産トリガを取得する（Ｓ１：データ取得ステップ）。データ取得部２１は、取得したデータから消費エネルギー時系列データおよび生産日時データを生成する（Ｓ２）。
【００８２】
次に、原単位算出部２２は、エネルギー原単位算出処理を実行し、エネルギー原単位を算出する（Ｓ３：原単位算出ステップ）。続いて、分類部２３は、エネルギー原単位分類処理を実行し、エネルギー原単位が分類されたエネルギー原単位分類時系列データを生成する（Ｓ４：分類ステップ）。これらのエネルギー原単位算出処理およびエネルギー原単位分類処理について、詳細は後述する。
【００８３】
最後に、表示制御部２６は、分類部２３からエネルギー原単位分類時系列データを受け取って、所定期間毎にエネルギー原単位を積み上げた積み上げ棒グラフを生成する。そして、表示制御部２６は、生成した積み上げ棒グラフを表示部１４に表示させる（Ｓ５：表示ステップ）。
【００８４】
〔エネルギー原単位算出処理〕
図１０に基づいて、原単位算出部２２が実行するエネルギー原単位算出処理の流れについて説明する。図１０は、原単位算出部２２が実行するエネルギー原単位算出処理の流れの一例を示すフローチャートである。なお、図１０に示す例では、原単位算出部２２が図３に示す消費エネルギー時系列データおよび図４に示す生産日時データを受け取り、生産日時データの示す最初の日時から時間を進めて処理を行うものとする。
【００８５】
図１０に示すように、原単位算出部２２は、設定積算消費エネルギー量Ｅｓ＿ｏｌｄを「０」にし、設定時間ｔｏｌｄを現在の日時である生産日時データの示す最初の日時に設定して、データの初期化を行う（Ｓ１１）。そして、原単位算出部２２は、時間を進めて生産トリガを待つ（Ｓ１２）。
【００８６】
次の生産トリガを検知した日時になると（Ｓ１２でＹＥＳ）、原単位算出部２２は、現在の積算消費エネルギー量Ｅｓから設定積算消費エネルギー量Ｅｓ＿ｏｌｄを減算して、エネルギー原単位Ｅｇを算出する（Ｓ１３）。
【００８７】
原単位算出部２２は、算出したエネルギー原単位Ｅｇを開始日時である設定日時ｔｏｌｄに対応付けてエネルギー原単位データを生成し保存する（Ｓ１４）。そして、原単位算出部２２は、現在の日時ｔｎｏｗが生産日時データの示す最終日時であるか否かを判定する（Ｓ１５）。最終日時ではない場合（Ｓ１５でＮＯ）、原単位算出部２２は、積算消費エネルギー量Ｅｓ＿ｏｌｄを現在の積算消費エネルギー量Ｅｓに設定し、設定日時ｔｏｌｄを現在の日時ｔｎｏｗに設定し、設定データを更新する（Ｓ１６）。そして、次の生産トリガの検知日時まで時間を進めて（Ｓ１２）、同様の処理を繰り返す。
【００８８】
原単位算出部２２は、前記の処理を繰り返し行い、現在の日時ｔｎｏｗが生産日時データの示す最終日時である場合（Ｓ１５でＹＥＳ）、原単位算出処理を終了する。
【００８９】
〔エネルギー原単位分類処理〕
図１１に基づいて、分類部２３が実行するエネルギー原単位分類処理の流れについて説明する。図１１は、分類部２３が実行するエネルギー原単位分類処理の流れの一例を示すフローチャートである。
【００９０】
図１１に示すように、分類部２３は、まず、原単位算出部２２からエネルギー原単位時系列データを取得する（Ｓ２１）。分類部２３は、取得したエネルギー原単位時系列データの中からエネルギー原単位データを１つ選択する（Ｓ２２）。
【００９１】
次に、分類部２３は、選択したエネルギー原単位データの示す原単位開始日時が生産計画時間データ３１の示す生産計画時間内であるか否かを判定する（Ｓ２３）。原単位開始日時が生産計画時間内ではない場合（Ｓ２３でＮＯ）、分類部２３は、選択したエネルギー原単位データを「待機中」に分類し、フラグ「−１」と判定する（Ｓ２４）。
【００９２】
一方、原単位開始日時が生産計画時間内である場合（Ｓ２３でＹＥＳ）、分類部２３は、さらに、選択したエネルギー原単位データの示すエネルギー原単位がエネルギー原単位基準値３２以下であるか否かを判定する（Ｓ２５）。エネルギー原単位がエネルギー原単位基準値３２以下である場合（Ｓ２５でＹＥＳ）、分類部２３は、選択したエネルギー原単位データを「基準内」に分類し、フラグ「１」と判定する（Ｓ２６）。一方、エネルギー原単位がエネルギー原単位基準値３２より大きい場合（Ｓ２５でＮＯ）、分類部２３は、選択したエネルギー原単位データを「基準外」に分類し、フラグ「２」と判定する（Ｓ２７）。
【００９３】
分類部２３は、判定を行った後、選択したエネルギー原単位データに判定結果（フラグ）を紐付けて保存する（Ｓ２８）。そして、分類部２３は、取得したエネルギー原単位時系列データに含まれる全てのエネルギー原単位データを分類したか否かを判定する（Ｓ２９）。
【００９４】
未分類のエネルギー原単位データがある場合（Ｓ２９でＮＯ）、分類部２３は、取得したエネルギー原単位時系列データの中から未分類のエネルギー原単位データを１つ選択して（Ｓ３０）、Ｓ２３以降の処理を実行する。一方、全てのエネルギー原単位データを分類した場合（Ｓ２９でＹＥＳ）、分類部２３は、エネルギー原単位分類処理を終了する。
【００９５】
なお、分類部２３は、エネルギー原単位がエネルギー原単位基準値３２より大きい場合（Ｓ２５でＮＯ）、さらに、選択したエネルギー原単位データの示すエネルギー原単位が第１基準外に該当するか、第２基準外に該当するかを判定してもよい。この場合、分類部２３は、例えば、第１基準外のエネルギー原単位データのフラグを「２」とし、第２基準外のエネルギー原単位データのフラグを「３」としてもよい。
【００９６】
〔変形例１〕
本実施形態では、管理装置１が生産ライン３の消費エネルギーを管理しているが、これに限るものではない。例えば、管理装置１は、エア流量など、生産ライン３が生産活動において消費する物質量またはエネルギー量を示す物理量を管理してもよい。この場合、管理システム９は、エネルギー計測センサ５に代えて、前記物理量を計測する物理量計測センサを備える。すなわち、物理量計測センサは、計測した生産ライン３全体の所定期間の物理量と、計測した日時とが対応付けられた物理量データを管理装置１に出力する。また、原単位算出部２２は、生産ライン３により所定量の生産物の生産で消費された前記物理量である原単位を算出する。また、分類部２３は、生産計画時間データ３１および所定の基準値に基づいて、前記原単位を基準内、基準外、待機中に分類する。また、表示制御部２６は、所定量の生産物の生産毎に前記原単位を示すと共に、所定期間毎に前記原単位の合計値を時系列で示すグラフを表示部に表示する。
【００９７】
さらに、管理装置１は、消費エネルギー（前記物理量）に代えて、生産ライン３が所定量の生産物を生産するためにかかった所定量生産期間を管理してもよい。この場合、管理システム９は、エネルギー計測センサ５を備えていなくてよい。また、管理装置１の制御部１１が原単位算出部２２を備えていなくてよい。また、分類部２３は、生産計画時間データ３１および所定の基準値に基づいて、前記所定量生産期間を基準内、基準外、待機中に分類する。また、表示制御部２６は、所定量の生産物の生産毎に前記所定量生産期間を示すと共に、所定期間毎に前記所定量生産期間の合計値を時系列で示すグラフを表示部に表示する。例えば、表示制御部２６は、横軸を経過時間とし、縦軸を前記所定量生産期間とする、所定期間毎に所定量生産期間を積み上げた積み上げ棒グラフを生成し、表示してもよい。
【００９８】
〔変形例２〕
本実施形態では、管理装置１が表示部１４を備えているが、これに限るものではない。例えば、管理装置１とは別体の表示装置に積み上げ棒グラフを表示してもよい。この場合、表示装置は、管理装置１からエネルギー原単位分類時系列データまたはエネルギー原単位時系列データを取得し、取得したデータに基づいて積み上げ棒グラフを生成する。そして、表示装置は、生成した積み上げ棒グラフを、表示装置が備える表示部に表示する。
【００９９】
すなわち、表示装置は、所定量の生産物の生産開始時間から次の所定量の生産物の生産開始時間までの期間である所定量生産期間の前記物理量を積算した値である原単位を示す原単位データを取得するデータ取得部と、前記所定量の生産物に対応付け可能に前記原単位を示すと共に、所定期間毎に前記原単位の合計値を時系列で示すグラフを表示部に表示する表示制御部と、を備える。
【０１００】
＜実施形態２＞
本発明の他の実施形態（実施形態２）について図１２から図２０に基づいて説明すれば、以下のとおりである。なお、説明の便宜上、前記の実施形態１において示した部材と同一の機能を有する部材には、同一の符号を付し、その説明を省略する。
【０１０１】
本実施形態では、実施形態１と異なり、積み上げ棒グラフに目標値を重畳して表示するものである。具体的には、図７に示す積み上げ棒グラフに、生産中の総消費エネルギーおよび待機中の総消費エネルギーの目標値を重畳して表示する。以下、実施形態２において、実施形態１と異なる点について主に説明する。
【０１０２】
なお、本実施形態に係る管理装置は生産ライン３の消費エネルギーを管理するものとして説明するが、これに限るものではない。実施形態１と同様に、例えば、本実施形態に係る管理装置は、エア流量など、生産ライン３が生産活動において消費する物質量またはエネルギー量を示す物理量を管理し、当該物理量の目標値を設定してもよい。
【０１０３】
〔管理装置の構成〕
図１２に基づいて、本実施形態に係る管理装置１ａの構成について説明する。図１２は、実施形態２に係る管理装置１ａの要部構成の一例を示すブロック図である。図１２に示すように、管理装置１ａは、実施形態１に係る管理装置１と比較して、制御部１１に代えて制御部１１ａを備え、記憶部１２に代えて記憶部１２ａを備えている。
【０１０４】
本実施形態では、制御部１１ａは、実施形態１に係る制御部１１と比較して、表示制御部２６に代えて表示制御部２６ａを備え、さらに、学習値算出部２４および目標値算出部２５を備える構成である。
【０１０５】
また、記憶部１２ａは、実施形態１に係る記憶部１２と比較して、さらに、目標値算出パラメータ３４を格納している。
【０１０６】
ここで、目標値算出パラメータ３４は、目標値の算出に必要なパラメータであって、ユーザが入力する（決定する）パラメータである。目標値算出パラメータ３４は、例えば、計画生産数、基準外のエネルギー原単位の目標出現率および待機中（生産計画時間外）の消費エネルギーの目標削減量等である。
【０１０７】
図１３に目標値算出パラメータ３４に含まれる計画生産数データの一例を示す。図１３に示す計画生産数データは、計画生産日と、計画生産数とが対応付けられたデータである。
【０１０８】
（学習値算出部）
学習値算出部２４は、分類部２３からエネルギー原単位分類時系列データを受け取り、受け取ったエネルギー原単位分類時系列データから、目標値の算出に必要な学習値を算出するものである。具体的には、学習値算出部２４は、エネルギー原単位分類時系列データから、基準内のエネルギー原単位の平均値、基準外のエネルギー原単位の平均値、待機中における単位時間当たりの消費エネルギー、基準内の生産期間の平均値および基準外の生産期間の平均値を学習値として算出する。学習値算出部２４は、算出した学習値（基準内のエネルギー原単位の平均値、基準外のエネルギー原単位の平均値、待機中における単位時間当たりの消費エネルギー、基準内の生産期間の平均値および基準外の生産期間の平均値）を目標値算出部２５に出力する。
【０１０９】
ここで、基準内の生産期間とは、基準内に分類されたエネルギー原単位の原単位開始日時から原単位終了日時までの期間である。また、基準外の生産期間とは、基準外に分類されたエネルギー原単位の原単位開始日時から原単位終了日時までの期間である。
【０１１０】
例えば、学習値算出部２４は、図１４に示す式（１）に基づいて基準内のエネルギー原単位の平均値を算出してもよい。具体的には、学習値算出部２４は、エネルギー原単位分類時系列データにおいて、「基準内」に分類されたエネルギー原単位分類データの個数を特定する。学習値算出部２４は、特定した個数を、基準内のエネルギー原単位で生産された生産物の個数Ｎｏｋとみなす。そして、学習値算出部２４は、「基準内」に分類されたエネルギー原単位分類データの示すエネルギー原単位の合計値を、特定したＮｏｋで除算して、基準内のエネルギー原単位の平均値を算出する。
【０１１１】
また、学習値算出部２４は、図１４に示す式（２）に基づいて基準外のエネルギー原単位の平均値を算出してもよい。具体的には、学習値算出部２４は、エネルギー原単位分類時系列データにおいて、「基準外」に分類されたエネルギー原単位分類データの個数を特定する。学習値算出部２４は、特定した個数を、基準外のエネルギー原単位で生産された生産物の個数Ｎｎｇとみなす。そして、学習値算出部２４は、「基準外」に分類されたエネルギー原単位分類データの示すエネルギー原単位の合計値を、特定したＮｎｇで除算して、基準外のエネルギー原単位の平均値を算出する。
【０１１２】
また、学習値算出部２４は、図１４に示す式（４）に基づいて待機中における単位時間当たりの消費エネルギーを算出してもよい。具体的には、学習値算出部２４は、基準内のエネルギー原単位の平均値にＮｏｋを乗算した値と、基準外のエネルギー原単位の平均値にＮｎｇを乗算した値と、を合計した値を生産中の総消費エネルギーとして算出する（図１４に示す式（４−１−１））。次に、学習値算出部２４は、エネルギー原単位分類時系列データの示す全てのエネルギー原単位を合計した値を総消費エネルギーとして算出し、総消費エネルギーから生産中の総消費エネルギーを減算した値を待機中の総消費エネルギーとして算出する（図１４に示す式（４−１））。また、学習値算出部２４は、エネルギー原単位分類時系列データから、基準内および基準外の期間を合計して生産中の合計時間を算出し、エネルギー原単位分類時系列データから、全期間を合計して学習期間における合計時間を算出する。学習値算出部２４は、学習期間における合計時間から生産中の合計時間を減算して待機中の合計時間を算出する（図１４に示す式（４−２））。そして、学習値算出部２４は、待機中の総消費エネルギーを待機中の合計時間で除算して、待機中における単位時間当たりの消費エネルギーを算出する（図１４に示す式（４））。
【０１１３】
また、学習値算出部２４は、図１４に示す式（５）に基づいて、基準内の生産期間の平均値を算出してもよい。具体的には、学習値算出部２４は、エネルギー原単位分類時系列データから、「基準内」に分類されたエネルギー原単位分類データの示す生産期間を合計して基準内の生産期間の合計時間を算出する。そして、学習値算出部２４は、基準内の生産期間の合計時間をＮｏｋで除算して、基準内の生産期間の平均値を算出する。
【０１１４】
また、学習値算出部２４は、図１４に示す式（６）に基づいて、基準外の生産期間の平均値を算出してもよい。具体的には、学習値算出部２４は、エネルギー原単位分類時系列データから、「基準外」に分類されたエネルギー原単位分類データの示す生産期間を合計して基準外の生産期間の合計時間を算出する。そして、学習値算出部２４は、基準外の生産期間の合計時間をＮｎｇで除算して、基準外の生産期間の平均値を算出する。
【０１１５】
なお、学習値算出部２４は、さらに、基準外のエネルギー原単位の出現率（全生産数に対するＮｎｇの割合）を学習値として算出してもよい。学習値算出部２４は、例えば、図１４に示す式（３）に基づいて基準外のエネルギー原単位の出現率を算出してもよい。具体的には、学習値算出部２４は、ＮｏｋとＮｎｇとの合計値を全生産数として算出する（図１４に示す式（３−１））。そして、学習値算出部２４は、Ｎｎｇを全生産数で除算して基準外のエネルギー原単位の出現率を算出する（図１４に示す式（３））。学習値算出部２４は、算出した基準外のエネルギー原単位の出現率を表示制御部２６に出力する。
【０１１６】
また、学習値算出部２４は、少なくとも基準内のエネルギー原単位の平均値、基準外のエネルギー原単位の平均値、基準内の生産期間の平均値および基準外の生産期間の平均値を学習値として算出すればよい。
【０１１７】
（目標値算出部）
目標値算出部２５は、学習値算出部２４から学習値を受け取ると共に、記憶部１２ａから生産計画時間データ３１および目標値算出パラメータ３４を読み出し、受け取った学習値並びに読み出した生産計画時間データ３１および目標値算出パラメータ３４から、所定期間（本実施形態では３０分毎）の生産ライン３が消費するエネルギーの目標値を算出するものである。具体的には、目標値算出部２５は、学習値、生産計画時間データ３１および目標値算出パラメータ３４から、生産中の総消費エネルギーの目標値および待機中（生産計画時間外）の総消費エネルギーの目標値を算出する。目標値算出部２５は、算出した目標値を表示制御部２６ａに出力する。
【０１１８】
具体的には、目標値算出部２５は、基準内のエネルギー原単位の平均値、基準外のエネルギー原単位の平均値、基準内のエネルギー原単位の生産期間の平均値、基準外のエネルギー原単位の生産期間の平均値、生産計画時間データ３１、および、目標値算出パラメータ３４に含まれる基準外の原単位の目標出現率に基づいて、所定期間における、生産中の総消費エネルギーの目標値を算出する。また、目標値算出部２５は、待機中のエネルギー原単位の平均値および生産計画時間データ３１に基づいて、所定期間における、待機中の総消費エネルギーの目標値を算出する。
【０１１９】
なお、目標値算出部２５は、少なくとも生産中の総消費エネルギーの目標値を算出すればよい。また、目標値算出部２５は、さらに、生産ライン３の総消費エネルギーの目標値、基準内の総消費エネルギーの目標値および基準外の総消費エネルギーの目標値を算出してもよい。
【０１２０】
生産ライン３の目標総消費エネルギーとは、所定期間に生産ライン３が消費するエネルギーの合計の目標値である。生産中の目標総消費エネルギーとは、生産計画時間内（生産活動中）の所定期間に、生産ライン３が消費するエネルギーの合計の目標値である。基準内の目標総消費エネルギーとは、所定期間に基準内に分類されるエネルギー原単位の合計の目標値である。基準外の目標総消費エネルギーとは、所定期間に基準外に分類されるエネルギー原単位の合計の目標値である。待機中の目標総消費エネルギーとは、所定期間に待機中に分類されるエネルギー原単位の合計の目標値である。
【０１２１】
（表示制御部）
表示制御部２６ａは、分類部２３からエネルギー原単位分類時系列データを受け取り、エネルギー原単位分類時系列データに基づいて、所定期間毎にエネルギー原単位を積み上げた積み上げ棒グラフを生成する。また、表示制御部２６ａは、目標値算出部２５から目標値を受け取り、所定期間に生産ライン３が消費するエネルギーの目標値を、生成した積み上げ棒グラフに重畳して描画する。表示制御部２６ａは、生成した積み上げ棒グラフを表示部１４に出力し、当該積み上げ棒グラフを表示部１４に表示させる。
【０１２２】
図１５に表示制御部２６ａが生成する積み上げ棒グラフの一例を示す。図１５に示す積み上げ棒グラフは、図７に示す積み上げ棒グラフと異なり、生産中の総消費エネルギーの目標値および待機中の総消費エネルギーの目標値が積み上げ棒グラフに重畳して描画されている。具体的には、生産ライン３の生産中の総消費エネルギーの目標値は、実線の折れ線グラフとして示され、生産ライン３の待機中の総消費エネルギーの目標値は、破線の折れ線グラフとして示されている。なお、目標値の描画の仕方はこれに限らず、例えば、各棒線の上部等に目標値の数値を描画してもよい。
【０１２３】
〔管理装置の処理〕
図１６に基づいて、管理装置１ａの処理の流れについて説明する。図１６は、実施形態２に係る管理装置１ａが実行する処理の流れの一例を示すフローチャートである。
【０１２４】
図１６に示すＳ１〜Ｓ４の処理は、実施形態１に係る図９に示すＳ１〜Ｓ４と同じ処理である。Ｓ４において、分類部２３がエネルギー原単位分類処理を実行した後、学習値算出部２４は、分類部２３からエネルギー原単位分類時系列データを受け取り、受け取ったエネルギー原単位分類時系列データから、目標値の算出に必要な学習値を算出する（Ｓ６：学習値算出ステップ）。そして、目標値算出部２５は、目標値算出処理を実行して、所定期間の生産ライン３の目標値を算出する（Ｓ７：目標値算出ステップ）。この目標値算出処理について詳細は後述する。
【０１２５】
最後に、表示制御部２６ａは、分類部２３からエネルギー原単位分類時系列データを受け取り、所定期間毎にエネルギー原単位を積み上げた積み上げ棒グラフを生成する。また、表示制御部２６ａは、目標値算出部２５から目標値を受け取り、生成した積み上げ棒グラフに目標値を重畳して描画する。そして、表示制御部２６は、生成した積み上げ棒グラフを表示部１４に表示させる（Ｓ８：表示ステップ）。
【０１２６】
〔目標値算出処理〕
目標値算出部２５が実行する目標値算出処理について説明する。目標値算出処理は、生産中目標値算出処理および待機中目標値算出処理を含む。
【０１２７】
（待機中目標値算出処理）
図１７および図１８に基づいて、待機中目標値算出処理について説明する。図１７は、目標値算出部２５が実行する待機中目標値算出処理の流れの一例を示すフローチャートである。図１８は、待機中目標値算出処理を説明するために用いる記号の説明を示す図である。ここでは、表示制御部２６ａが生産ライン３の１日間の消費エネルギーを示す積み上げ棒グラフを表示するものとし、棒線単位時間は３０分とする。
【０１２８】
図１７に示すように、まず、目標値算出部２５は、積み上げ棒グラフに含まれる棒線の個数を算出する（Ｓ４１）。具体的には、積み上げ棒グラフの表示期間（２４時間）を棒線単位時間（０．５時間）で除算して、棒線の個数（Ｌ＝４８個）を算出する。
【０１２９】
次に、目標値算出部２５は、管理装置１ａの１日間の処理開始時（０時）に対応する棒線番号ｉを探索する（Ｓ４２）。ここでは、ｉ＝１である。
【０１３０】
そして、目標値算出部２５は、棒線番号ｉが棒線の個数Ｌ以下であるか否かを判定する（Ｓ４３）。棒線番号ｉが棒線の個数Ｌ以下である場合（Ｓ４３でＹＥＳ）、目標値算出部２５は、さらに、棒線番号ｉの期間（時刻Δｗ×（ｉ−１）から時刻Δｗ×ｉまでの期間）が生産計画時間外を含むか否かを判定する（Ｓ４４）。棒線番号ｉの期間が生産計画時間外を含まない場合（Ｓ４４でＮＯ）、目標値算出部２５は、棒線番号ｉの期間における待機中の合計時間および待機中の総消費エネルギーの目標値を「０」とする。
【０１３１】
一方、棒線番号ｉの期間が生産計画時間外を含む場合（Ｓ４４でＹＥＳ）、目標値算出部２５は、生産計画時間データ３１に基づいて、棒線番号ｉの期間における待機中（生産計画時間外）の合計時間を算出する（Ｓ４６）。そして、目標値算出部２５は、算出した待機中の合計時間に、学習値である待機中における単位時間当たりの消費エネルギーを乗算して、棒線番号ｉの期間における待機中の総消費エネルギーの目標値を算出する（Ｓ４７）。
【０１３２】
目標値算出部２５は、目標値を算出した後、棒線番号ｉ＝ｉ＋１として、棒線番号を１つ繰り上げて（Ｓ４８）、Ｓ４３以降の処理を繰り返す。Ｓ４３以降の処理を繰り返し行い、棒線番号ｉがＬより大きくなると（Ｓ４３でＮＯ）、目標値算出部２５は、待機中目標値算出処理を終了する。
【０１３３】
なお、Ｓ４２において、目標値算出部２５は、設備稼働計画時間の設備稼働開始時に対応する棒線番号ｉを探索してもよい。設備稼働計画時間とは、生産ライン３が稼働する（予定の）時間である。換言すると、設備稼働計画時間は、生産ライン３が起動してから停止するまでの時間である。設備稼働計画時間外であれば、生産ライン３が起動していないため、待機中の消費エネルギーは少なくほぼ一定である。そのため、この期間の目標値を算出しなくてもよい。
【０１３４】
（生産中目標値算出処理）
図１９および図２０に基づいて、生産中目標値算出処理について説明する。図１９は、目標値算出部２５が実行する生産中目標値算出処理の流れの一例を示すフローチャートである。図２０は、生産中目標値算出処理を説明するために用いる記号の説明を示す図である。ここでは、表示制御部２６ａが生産ライン３の１日間の消費エネルギーを示す積み上げ棒グラフを表示するものとし、棒線単位時間は３０分とする。
【０１３５】
図１９に示すように、まず、目標値算出部２５は、積み上げ棒グラフに含まれる棒線の個数を算出する（Ｓ５１）。具体的には、積み上げ棒グラフの表示期間（２４時間）を棒線単位時間（０．５時間）で除算して、棒線の個数（Ｌ＝４８個）を算出する。
【０１３６】
次に、目標値算出部２５は、生産計画時間データ３１を参照して、生産ライン３の１日における生産開始時刻に対応する棒線番号ｉを探索する（Ｓ５２）。
【０１３７】
そして、目標値算出部２５は、棒線番号ｉが棒線の個数Ｌ以下であるか否かを判定する（Ｓ５３）。棒線番号ｉが棒線の個数Ｌ以下である場合（Ｓ５３でＹＥＳ）、目標値算出部２５は、生産計画時間データ３１に基づいて、棒線番号ｉの期間における生産中の合計時間を算出する（Ｓ５４）。具体的には、目標値算出部２５は、棒線単位時間から棒線番号ｉの期間における待機中の合計時間を減算して、棒線番号ｉの期間における生産中の合計時間を算出する。なお、目標値算出部２５は、生産計画時間データ３１から直接、棒線番号ｉの期間における生産中（生産計画時間内）の合計時間を算出してもよい。
【０１３８】
次に、目標値算出部２５は、下記数式（７）〜（９）に基づいて、棒線番号ｉの期間における目標生産数を算出する（Ｓ５５）。具体的には、目標値算出部２５は、目標値算出パラメータ３４に含まれる基準外のエネルギー原単位の目標出現率に基準外の生産期間の平均値を乗算した値と、１から基準外のエネルギー原単位の目標出現率を減算した値に基準内の生産期間の平均値を乗算した値と、を合計する。目標値算出部２５は、棒線番号ｉの期間における生産中の合計時間を、当該合計値で除算して、棒線番号ｉの期間における生産数の目標値を算出する（数式（７））。
【０１３９】
【数１】
0006451314.tif 000002
【０１４０】
そして、目標値算出部２５は、１から基準外のエネルギー原単位の目標出現率を減算した値に棒線番号ｉの期間における生産数の目標値を乗算して、棒線番号ｉの期間における基準内の生産数の目標値を算出する（数式（８））。また、目標値算出部２５は、基準外のエネルギー原単位の目標出現率に棒線番号ｉの期間における生産数の目標値を乗算して、棒線番号ｉの期間における基準外の生産数の目標値を算出する（数式（９））。
【０１４１】
ここで、基準内の生産数の目標値とは、基準内のエネルギー原単位で生産される生産数の目標値である。また、基準外の生産数の目標値とは、基準外のエネルギー原単位で生産される生産数の目標値である。
【０１４２】
次に、目標値算出部２５は、下記数式（１０）〜（１２）に基づいて、棒線番号ｉの期間における生産中の総消費エネルギーの目標値を算出する（Ｓ５６）。具体的には、目標値算出部２５は、学習値である基準内のエネルギー原単位の平均値に棒線番号ｉの期間における基準内の生産数の目標値を乗算して、棒線番号ｉの期間における基準内の総消費エネルギーの目標値を算出する（数式（１１））。また、目標値算出部２５は、学習値である基準外のエネルギー原単位の平均値に棒線番号ｉの期間における基準外の生産数の目標値を乗算して、棒線番号ｉの期間における基準外の総消費エネルギーの目標値を算出する（数式（１２））。そして、目標値算出部２５は、棒線番号ｉの期間における基準内の総消費エネルギーの目標値と、棒線番号ｉの期間における基準外の総消費エネルギーの目標値とを合計して、棒線番号ｉの期間における生産中の総消費エネルギーの目標値を算出する（数式（１０））。
【０１４３】
【数２】
0006451314.tif 000003
【０１４４】
目標値算出部２５は、目標値を算出した後、棒線番号１〜ｉまでの期間における生産数の目標値の合計値が目標値算出パラメータ３４に含まれる計画生産数未満であるか否かを判定する（Ｓ５７）。棒線番号１〜ｉまでの期間における生産数の目標値の合計値が１日の計画生産数以上である場合（Ｓ５７でＮＯ）、目標値算出部２５は、生産中目標値算出処理を終了する。
【０１４５】
一方、棒線番号１〜ｉまでの期間における生産数の目標値の合計値が１日の計画生産数未満である場合（Ｓ５７でＹＥＳ）、目標値算出部２５は、棒線番号ｉ＝ｉ＋１として、棒線番号を１つ繰り上げて（Ｓ５８）、Ｓ５３以降の処理を繰り返す。Ｓ５３以降の処理を繰り返し行い、棒線番号ｉがＬより大きくなると（Ｓ５３でＮＯ）、目標値算出部２５は、生産中目標値算出処理を終了する。
【０１４６】
＜実施形態３＞
本発明の他の実施形態（実施形態３）について図２１から図２５に基づいて説明すれば、以下のとおりである。なお、説明の便宜上、前記の実施形態１において示した部材と同一の機能を有する部材には、同一の符号を付し、その説明を省略する。
【０１４７】
本実施形態では、実施形態２と異なり、当日の生産状況を考慮して、前日までの実績値に基づく当初目標値（第１目標値）に加えて、当日の実績値に基づく修正目標値（第２目標値）を積み上げ棒グラフに重畳して表示する。以下、実施形態３において、実施形態２と異なる点について主に説明する。
【０１４８】
なお、本実施形態に係る管理装置は生産ライン３の消費エネルギーを管理するものとして説明するが、これに限るものではない。実施形態２と同様に、例えば、本実施形態に係る管理装置は、エア流量など、生産ライン３が生産活動において消費する物質量またはエネルギー量を示す物理量を管理し、当該物理量の当初目標値および修正目標値を設定してもよい。
【０１４９】
〔管理装置の構成〕
図２１に基づいて、本実施形態に係る管理装置１ｂの構成について説明する。図２１は、実施形態３に係る管理装置１ｂの要部構成の一例を示すブロック図である。図２１に示すように、管理装置１ｂは、実施形態２に係る管理装置１ａと比較して、制御部１１ａに代えて制御部１１ｂを備えている。
【０１５０】
本実施形態では、制御部１１ｂは、実施形態２に係る制御部１１ａと比較して、学習値算出部２４、目標値算出部２５および表示制御部２６ａに代えて、学習値算出部２４ｂ、目標値算出部２５ｂおよび表示制御部２６ｂを備える構成である。
【０１５１】
（学習値算出部）
学習値算出部２４ｂは、分類部２３からエネルギー原単位分類時系列データを受け取り、受け取ったエネルギー原単位分類時系列データから、目標値の算出に必要な学習値を算出するものである。具体的には、学習値算出部２４ｂは、前日までのエネルギー原単位分類時系列データから、当初目標値の算出に必要な当初学習値を算出する。また、学習値算出部２４ｂは、当日のエネルギー原単位分類時系列データから、修正目標値の算出に必要な修正学習値を算出する。学習値算出部２４ｂは、算出した当初学習値および修正学習値を目標値算出部２５ｂに出力する。
【０１５２】
学習値算出部２４ｂは、当初学習値として、それぞれ前日までの、基準内のエネルギー原単位の平均値、基準外のエネルギー原単位の平均値、待機中における単位時間当たりの消費エネルギー、基準内の生産期間の平均値および基準外の生産期間の平均値を算出する。また、学習値算出部２４ｂは、修正学習値として、それぞれ当日の、基準内のエネルギー原単位の平均値、基準外のエネルギー原単位の平均値、基準内の生産期間の平均値、基準外の生産期間の平均値および基準外のエネルギー原単位の出現率を算出する。なお、学習値算出部２４ｂは、修正学習値として、さらに、待機中における単位時間当たりの消費エネルギーを算出してもよい。
【０１５３】
また、前日および当日の、基準内のエネルギー原単位の平均値、基準外のエネルギー原単位の平均値、待機中における単位時間当たりの消費エネルギー、基準内の生産期間の平均値および基準外の生産期間の平均値、並びに、当日の基準外のエネルギー原単位の出現率の算出方法は、使用する実績値（エネルギー原単位分類時系列データ）の期間が異なるだけで、実施形態２の学習値の算出方法と同じである。
【０１５４】
（目標値算出部）
目標値算出部２５ｂは、学習値算出部２４ｂから学習値を受け取ると共に、記憶部１２ａから生産計画時間データ３１および目標値算出パラメータ３４を読み出し、受け取った学習値並びに読み出した生産計画時間データ３１および目標値算出パラメータ３４から、所定期間（本実施形態では３０分毎）の生産ライン３の目標値を算出するものである。具体的には、目標値算出部２５ｂは、当初学習値、生産計画時間データ３１および目標値算出パラメータ３４から、所定期間における、生産中の総消費エネルギーの目標値および待機中（生産計画時間外）の総消費エネルギーの目標値を当初目標値として算出する。また、目標値算出部２５ｂは、修正学習値、生産計画時間データ３１および目標値算出パラメータ３４から、所定期間における生産中の総消費エネルギーの目標値を修正目標値として算出する。なお、目標値算出部２５ｂは、修正目標値として、さらに、待機中（生産計画時間外）の総消費エネルギーの目標値を算出してもよい。目標値算出部２５ｂは、算出した目標値を表示制御部２６ｂに出力する。
【０１５５】
当初目標値および待機中の総消費エネルギーの修正目標値の算出方法は、実施形態２の目標値の算出方法と同じである。生産中の総消費エネルギーの修正目標値の算出方法の詳細については、後述する。
【０１５６】
なお、目標値算出部２５は、少なくとも、当初目標値および修正目標値として、生産中の総消費エネルギーの目標値を算出すればよい。また、目標値算出部２５は、当初目標値および修正目標値として、さらに、生産ライン３の総消費エネルギーの目標値、基準内の総消費エネルギーの目標値および基準外の総消費エネルギーの目標値を当初目標値および修正目標値として算出してもよい。
【０１５７】
（表示制御部）
表示制御部２６ｂは、分類部２３からエネルギー原単位分類時系列データを受け取り、エネルギー原単位分類時系列データに基づいて、所定期間毎にエネルギー原単位を積み上げた積み上げ棒グラフを生成する。また、表示制御部２６ｂは、目標値算出部２５ｂから当初目標値および修正目標値を受け取り、生成した積み上げ棒グラフに当初目標値および修正目標値を重畳して描画する。表示制御部２６ｂは、生成した積み上げ棒グラフを表示部１４に出力し、当該積み上げ棒グラフを表示部１４に表示させる。
【０１５８】
図２２および図２３に表示制御部２６ｂが生成する積み上げ棒グラフの一例を示す。図２２および図２３に示す積み上げ棒グラフには、生産中の総消費エネルギーの当初目標値および修正目標値が重畳して描画されている。具体的には、生産ライン３の生産中の総消費エネルギーの当初目標値は、実線の折れ線グラフとして示され、生産ライン３の生産中の総消費エネルギーの修正目標値は、破線の折れ線グラフとして示されている。なお、当初目標値および修正目標値の描画の仕方はこれに限らず、例えば、各棒線の上部等に目標値の数値を描画してもよい。
【０１５９】
図２２には、当日の生産効率が良く、当初の計画より前倒しで生産が行われている例が示されている。また、図２３には、当日の生産効率が悪く、当初の計画より後ろ倒しで生産が行われている例が示されている。このように、表示制御部２６ｂは、当日の生産状況を反映させた修正目標値を表示することができる。
【０１６０】
なお、図２２および図２３に示す例では、生産中の総消費エネルギーの当初目標値および修正目標値のみが示されているが、これに限るものではなく、表示制御部２６ｂは、生産ライン３の総消費エネルギー、待機中の総消費エネルギー、基準内の総消費エネルギーおよび基準外の総消費エネルギーの当初目標値および修正目標値を表示してもよい。
【０１６１】
また、表示制御部２６ｂは、所定期間における最大値および／または最小値であるエネルギー原単位を識別可能なように、他のエネルギー原単位と区別して表示してもよい。例えば、図２２および図２３に示す例では、当日の最大値および最小値であるエネルギー原単位の矩形の色を、それぞれ、他のエネルギー原単位の矩形と異なる色で表示している。
【０１６２】
また、本実施形態では、表示制御部２６ｂは、前日までの消費エネルギーの実績値に基づく当初目標値と、当日の消費エネルギーの実績値に基づく修正目標値とを積み上げ棒グラフに重畳して表示しているが、これに限るものではない。表示制御部２６ｂは、或る時点以前の消費エネルギーの実績値に基づく当初目標値と、当該或る時点から現在までの消費エネルギーの実績値に基づく修正目標値と、を積み上げ棒グラフに重畳して表示すればよく、目標値の算出に用いる実績値の期間は適宜設定すればよい。
【０１６３】
〔修正目標値算出処理〕
図２４および図２５に基づいて、生産中の総消費エネルギーの修正目標値の算出処理である修正目標値算出処理について説明する。図２４は、目標値算出部２５ｂが実行する修正目標値算出処理の流れの一例を示すフローチャートである。図２５は、修正目標値算出処理を説明するために用いる記号の説明を示す図である。ここでは、表示制御部２６ｂが生産ライン３の１日間の消費エネルギーを示す積み上げ棒グラフを表示するものとし、棒線単位時間は３０分とする。
【０１６４】
図２４に示すように、まず、目標値算出部２５ｂは、積み上げ棒グラフに含まれる棒線の個数を算出する（Ｓ６１）。具体的には、積み上げ棒グラフの表示期間（２４時間）を棒線単位時間（０．５時間）で除算して、棒線の個数（Ｌ＝４８個）を算出する。
【０１６５】
次に、目標値算出部２５ｂは、現在時刻に対応する棒線番号ｉを探索する（Ｓ６２）。そして、目標値算出部２５ｂは、生産計画時間データ３１を参照して、現在時刻に対応する棒線番号ｉの期間の開始時刻（Δｗ×（ｉ−１））が生産開始時刻以降であるか否かを判定する（Ｓ６３）。生産開始時刻以降でなければ（Ｓ６３でＮＯ）、Ｓ６２の処理に戻る。
【０１６６】
一方、生産開始時刻以降であれば（Ｓ６３でＹＥＳ）、目標値算出部２５ｂは、棒線番号ｉが棒線の個数Ｌ以下であるか否かを判定する（Ｓ６４）。棒線番号ｉが棒線の個数Ｌ以下である場合（Ｓ６４でＹＥＳ）、目標値算出部２５ｂは、生産計画時間データ３１に基づいて、棒線番号ｉの期間における生産中の合計時間を算出する（Ｓ６５）。具体的には、目標値算出部２５ｂは、棒線単位時間から棒線番号ｉの期間における待機中の合計時間を減算して、棒線番号ｉの期間における生産中の合計時間を算出する。なお、目標値算出部２５ｂは、生産計画時間データ３１から直接、棒線番号ｉの期間における生産中（生産計画時間内）の合計時間を算出してもよい。
【０１６７】
次に、目標値算出部２５ｂは、下記の数式（１３）〜（１５）に基づいて、棒線番号ｉの期間における修正目標生産数を算出する（Ｓ６６）。具体的には、目標値算出部２５ｂは、修正学習値である当日の基準外のエネルギー原単位の出現率に当日の基準外の生産期間の平均値を乗算した値と、１から当日の基準外のエネルギー原単位の出現率を減算した値に当日の基準内の生産期間の平均値を乗算した値と、を合計する。目標値算出部２５ｂは、棒線番号ｉの期間における生産中の合計時間を、当該合計値で除算して、棒線番号ｉの期間における修正目標生産数を算出する（数式（１３））。
【０１６８】
【数３】
0006451314.tif 000004
【０１６９】
そして、目標値算出部２５ｂは、１から当日の基準外のエネルギー原単位の出現率を減算した値に棒線番号ｉの期間における修正目標生産数を乗算して、棒線番号ｉの期間における基準内の修正目標生産数を算出する（数式（１４））。また、目標値算出部２５ｂは、当日の基準外のエネルギー原単位の出現率に棒線番号ｉの期間における修正目標生産数を乗算して、棒線番号ｉの期間における基準外の修正目標生産数を算出する（数式（１５））。
【０１７０】
次に、目標値算出部２５ｂは、下記の数式（１６）〜（１８）に基づいて、棒線番号ｉの期間における生産中の総消費エネルギーの修正目標値を算出する（Ｓ６７）。具体的には、目標値算出部２５ｂは、修正学習値である当日の基準内のエネルギー原単位の平均値に棒線番号ｉの期間における基準内の修正目標生産数を乗算して、棒線番号ｉの期間における基準内の総消費エネルギーの修正目標値を算出する（数式（１７））。また、目標値算出部２５ｂは、修正学習値である当日の基準外のエネルギー原単位の平均値に棒線番号ｉの期間における基準外の修正目標生産数を乗算して、棒線番号ｉの期間における基準外の総消費エネルギーの修正目標値を算出する（数式（１８））。そして、目標値算出部２５ｂは、棒線番号ｉの期間における基準内の総消費エネルギーの修正目標値と、棒線番号ｉの期間における基準外の総消費エネルギーの修正目標値とを合計して、棒線番号ｉの期間における生産中の総消費エネルギーの修正目標値を算出する（数式（１９））。
【０１７１】
【数４】
0006451314.tif 000005
【０１７２】
目標値算出部２５ｂは、修正目標値を算出した後、棒線番号１〜ｉまでの期間における修正目標生産数の合計値が、目標値算出パラメータ３４に含まれる計画生産数から現在時刻までの当日の生産数を減算した値（当日の残りの計画生産数）未満であるか否かを判定する（Ｓ６８）。棒線番号１〜ｉまでの期間における修正目標生産数の合計値が当日の残りの計画生産数以上である場合（Ｓ６８でＮＯ）、目標値算出部２５ｂは、修正目標値算出処理を終了する。
【０１７３】
一方、棒線番号１〜ｉまでの期間における修正目標生産数の合計値が当日の残り計画生産数未満である場合（Ｓ６８でＹＥＳ）、目標値算出部２５ｂは、棒線番号ｉ＝ｉ＋１として、棒線番号を１つ繰り上げて（Ｓ６９）、Ｓ６４以降の処理を繰り返す。Ｓ６４以降の処理を繰り返し行い、棒線番号ｉがＬより大きくなると（Ｓ６４でＮＯ）、目標値算出部２５ｂは、修正目標値算出処理を終了する。
【０１７４】
＜ソフトウェアによる実現例＞
管理装置１、１ａおよび１ｂの制御ブロック（特に制御部１１、１１ａおよび１１ｂ）は、集積回路（ＩＣチップ）等に形成された論理回路（ハードウェア）によって実現してもよいし、ＣＰＵ（Central Processing Unit）を用いてソフトウェアによって実現してもよい。
【０１７５】
後者の場合、管理装置１、１ａおよび１ｂは、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワークや放送波等）を介して前記コンピュータに供給されてもよい。なお、本発明は、前記プログラムが電子的な伝送によって具現化された、搬送波に埋め込まれたデータ信号の形態でも実現され得る。
【０１７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７７】
本発明は、工場等に設置された生産設備が生産活動において消費する物質量またはエネルギー量を示す物理量の管理に利用することができる。
【符号の説明】
【０１７８】
１、１ａ、１ｂ  管理装置
２  生産設備
３  生産ライン
５  エネルギー計測センサ
６  物体通過検知センサ
１４  表示部
１５  入力部
２１  データ取得部
２２  原単位算出部
２３  分類部
２４、２４ｂ  学習値算出部
２５、２５ｂ  目標値算出部
２６、２６ａ、２６ｂ  表示制御部
２７  入力解析部
【図１】
0006451314.tif 000006
【図２】
0006451314.tif 000007
【図３】
0006451314.tif 000008
【図４】
0006451314.tif 000009
【図５】
0006451314.tif 000010
【図６】
0006451314.tif 000011
【図７】
0006451314.tif 000012
【図８】
0006451314.tif 000013
【図９】
0006451314.tif 000014
【図１０】
0006451314.tif 000015
【図１１】
0006451314.tif 000016
【図１２】
0006451314.tif 000017
【図１３】
0006451314.tif 000018
【図１４】
0006451314.tif 000019
【図１５】
0006451314.tif 000020
【図１６】
0006451314.tif 000021
【図１７】
0006451314.tif 000022
【図１８】
0006451314.tif 000023
【図１９】
0006451314.tif 000024
【図２０】
0006451314.tif 000025
【図２１】
0006451314.tif 000026
【図２２】
0006451314.tif 000027
【図２３】
0006451314.tif 000028
【図２４】
0006451314.tif 000029
【図２５】
0006451314.tif 000030